(57)【要約】【課題】  最下段に立設される鋼鉄製の柱体における建入れ調整を可能にするについて、作業性を良くする。【解決手段】  ベースプレート５を上下方向に貫通するアンカーボルト１の上端部にこのアンカーボルト１の上方から分離可能に連結される連結手段１０と、この連結手段１０を下端部に保持しながら柱体３の側面に張り出すブラケット３ａを中間部に挿通させるガイドフレーム２と、このガイドフレーム２の中間部に昇降可能に保持されながら下端を上記のブラケット３ａの上端に当接させるブロック２０と、このブロック２０に下半側ネジ部２１が螺装されながら上半側ネジ部２２が上記のガイドフレーム２の上端部に螺装される操作ロッド３０とを有してなり、この操作ロッド３０における上半側ネジ部２２と下半側ネジ部２１とが差動ネジとされてなる。【選択図】        図１
2005325629.tif 000002
【特許請求の範囲】
【請求項１】
ベースプレートを上下方向に貫通するアンカーボルトの上端部にこのアンカーボルトの上方から分離可能に連結される連結手段と、この連結手段を下端部に保持しながら柱体の側面に張り出すブラケットを中間部に挿通させるガイドフレームと、このガイドフレームの中間部に昇降可能に保持されながら下端を上記のブラケットの上端に当接させるブロックと、このブロックに下半側ネジ部が螺装されながら上半側ネジ部が上記のガイドフレームの上端部に螺装される操作ロッドとを有してなり、この操作ロッドにおける上半側ネジ部と下半側ネジ部とが差動ネジとされてなることを特徴とする建入れ調整装置
【請求項２】
操作ロッドにおける上半側ネジ部と下半側ネジ部との境界部にストッパ部が配在されてなると共に、このストッパ部が操作ロッドのガイドフレームからの脱け出しを阻止してなる請求項１に記載の建入れ調整装置
【請求項３】
操作ロッドが上端部を操作部とする有頭ボルトからなると共に、操作部が操作ロッドにおける上端部のガイドフレームに対する没入を阻止してなる請求項１に記載の建入れ調整装置
【請求項４】
連結手段がガイドフレームに昇降可能に保持されてなると共に、下端部にアンカーボルトの上端部に螺合する袋ナットを有してなる請求項１に記載の建入れ調整装置
【請求項５】
ブラケットの上端とブロックの下端との間に楔が介在されてなる請求項１に記載の建入れ調整装置
【発明の詳細な説明】
【技術分野】
【０００１】
この発明は、フーチンや杭頭などの基礎上に最下段となる柱体を建て込む際に利用する建入れ調整装置の改良に関する。
【背景技術】
【０００２】
たとえば、鋼鉄製の柱体を建て込む際に利用する建入れ調整装置としては、従来から種々の提案があるが、その中で、特許文献１に開示されている建入れ調整装置は、フーチンや杭頭などの基礎上に最下段となる鋼鉄製の柱体を建て込む際に利用するものとして提案されている。
【０００３】
すなわち、この建入れ調整装置は、最下段となる柱体の下端に一体に連設されているベースプレートをこのベースプレートの中央下方に配在されている饅頭あるいは団子と称される盛り上がりの頂点を支点にして揺動させることで、柱体における垂直度を修正する、すなわち、建入れ調整を実践するとしている。
【０００４】
このとき、この特許文献１に開示の提案では、基礎に植設されているアンカーボルトがいわゆる四隅部を貫通した状態下にあるベースプレートにおける選択された辺部を流体圧ジャッキやスクリュージャッキ、あるいは、これに相当する専用装置で昇降させることで、ベースプレートを揺動させ、結果的に柱体における垂直度を修正するとしている。
【特許文献１】特開２０００−７３５６８号公報（請求項１，請求項２，明細書中の段落００１９，同００２０，図１，図２）
【発明の開示】
【発明が解決しようとする課題】
【０００５】
しかしながら、上記した特許文献１に開示の建入れ調整装置にあっては、これを利用するについて作業スペースを大きくする不具合があると指摘される可能性がある。
【０００６】
すなわち、上記の建入れ調整装置は、柱体の下端に一体に連設されているベースプレートの辺部にセットされる流体圧ジャッキやスクリュージャッキ、あるいは、これに相当する専用装置の作動でベースプレートを揺動させて、柱体における垂直度を修正するとしている。
【０００７】
それゆえ、全体的に看れば、上記の建入れ調整装置を利用するときに占有される面積は、ベースプレートの大きさ以上になり、このとき、ベースプレートの辺部にセットされる流体圧ジャッキやスクリュージャッキ、あるいは、専用装置の態様によっては、占有面積がいたずらに大きくなる可能性もある。
【０００８】
のみならず、上記した建入れ調整装置にあっては、ベースプレートの揺動をボルトの回動操作で実現しているが、このとき、ボルトが基礎の上面に近い位置にあることから、ボルトの回動操作がし辛くなる、すなわち、作業性に劣ることになると指摘される可能性がある。
【０００９】
この発明は、上記した現状を鑑みて創案されたものであって、その目的とするところは、最下段に立設される柱体における建入れ調整を可能にするのはもちろんのこと、その際の作業性を良くし、その汎用性の向上を期待するのに最適となる建入れ調整装置を提供することである。
【課題を解決するための手段】
【００１０】
上記した目的を達成するために、この発明による建入れ調整装置の構成を、請求項１では、ベースプレートを上下方向に貫通するアンカーボルトの上端部にこのアンカーボルトの上方から分離可能に連結される連結手段と、この連結手段を下端部に保持しながら柱体の側面に張り出すブラケットを中間部に挿通させるガイドフレームと、このガイドフレームの中間部に昇降可能に保持されながら下端を上記のブラケットの上端に当接させるブロックと、このブロックに下半側ネジ部が螺装されながら上半側ネジ部が上記のガイドフレームの上端部に螺装される操作ロッドとを有してなり、この操作ロッドにおける上半側ネジ部と下半側ネジ部とが差動ネジとされてなるとする。
【発明の効果】
【００１１】
それゆえ、請求項１の発明にあっては、建入れ調整装置がアンカーボルトの上端部に連結されてアンカーボルトの延在方向たるアンカーボルトの上方に配在されるから、この建入れ調整装置が占有する面積をアンカーボルトが貫通するベースプレートにおける占有面積より小さくすることが可能になり、建入れ調整装置のいわゆるコンパクト化が可能になる。
【００１２】
そして、操作ロッドがアンカーボルトの上方に延在されるガイドフレームの上端部に配在されるから、操作ロッドの操作位置が基礎の上面から離れた上方位置になり、操作ロッドの回動操作を容易にする。
【００１３】
その結果、最下段に立設される鋼鉄製の柱体における建入れ調整を可能にするについて作業性を良くし、その汎用性の向上を期待するのに最適となる。
【発明を実施するための最良の形態】
【００１４】
以下に、図示した実施形態に基づいて、この発明を説明するが、この発明による建入れ調整装置は、図１に示すように、アンカーボルト１の上端部に連結されるガイドフレーム２を有してなり、このガイドフレーム２に対する操作で柱体３における垂直度を修正するとしている。
【００１５】
そして、ガイドフレーム２は、図示するところでは、間に部材の収容を許容する空間を有する二枚板構造に形成されてなり（図中の（Ａ）図参照）、下端部に連結手段１０を有すると共に、中間部にブロック２０を有し、かつ、上端部に操作ロッド３０を有してなるとしている。
【００１６】
このとき、アンカーボルト１は、最下段の柱体３を建込む、すなわち、柱体３を立設するフーチンや基礎地盤などの、多くの場合に、コンクリートなどで、上面が水平面、あるいは、ほぼ水平面とされている基礎４に植設されている。
【００１７】
そして、このアンカーボルト１は、最下段の柱体３の下端に連設されたベースプレート５のいわゆる四隅部を上下方向に貫通するとしており、このとき、ベースプレート５は、基礎４上にほぼ半球状に形成されて饅頭あるいは団子などと称される盛り上り４ａにおける頂部をその中央下面に当接させていて、この頂部を支点にして揺動し得るように設定されている。
【００１８】
ちなみに、柱体３は、多くの場合に、横断面形状が矩形やＨ形，Ｉ形、あるいは、丸形など任意の形状を呈する型鋼からなり、また、多くの場合に、この種の建て入れ調整装置を連繋させるためのエレクションピースを側面に張り出す態様に有してなるのを常態とし、図示するところでは、このエレクションピースを後述するブラケット３ａにしている。
【００１９】
ところで、ガイドフレーム２の下端部に配在されている連結手段１０は、この発明による建入れ調整装置を上記のアンカーボルト１の上端部に連結するための構成であって、このとき、この建入れ調整装置のいわゆる使い回しを可能にするように、この連結手段１０がアンカーボルト１に対して分離可能に連結されるとしている。
【００２０】
それゆえ、この連結手段１０は、図示するところでは、ガイドフレーム２の下端部に保持された軸部１１の下端に袋ナット１２を有する態様に形成されてなり、この袋ナット１２がアンカーボルト１の上端部に螺着されるとしている。
【００２１】
このとき、軸部１１は、ガイドフレーム２に対して図中で上下方向となるガイドフレーム２の軸線方向に移動可能とされるように保持されていて、袋ナット１２のアンカーボルト１の上端部に対する連結および連結解除の各操作を容易に実現できるように配慮している。
【００２２】
また、袋ナット１２は、内側に実質的にアンカーボルト１の上端部に螺着される螺合体１３を有してなり、この螺合体１３は、アンカーボルト１の径が異なることがあることを予測して、任意の内側ネジ径を有するものに交換されるとしている。
【００２３】
なお、上記した軸部１１をガイドフレーム２の下端部に昇降可能に連繋するについては、任意に構成が選択されて良いが、図示するところでは、この建入れ調整装置の組立性を良くするために、内側に軸部１１を挿通させるカラー部材１４を介在させている。
【００２４】
をようにする
つぎに、ガイドフレーム３の中間部に配在されているブロック２０は、軸芯部に上端で開口する内側螺条２１を有していて、この内側螺条２１に後述する操作ロッド３０における下半側ネジ部３１を螺入させる態様に形成されてなり、この状態で、下端を前記したブラケット３ａの上端に当接させるとしている。
【００２５】
このとき、このブロック２０は、ガイドフレーム２の内側たる空間でこのガイドフレーム２の軸線方向に昇降可能に保持されなるとするもので、このとき、水平方向に回転しないのはもちろんのこと、いたずらに横方向にずれないように形成されるとし、それゆえ、図示するところでは、図１中の（Ａ）にも示すように、正面視および平面視の形状を矩形とするように形成されている。
【００２６】
それゆえ、このブロック２０にあっては、後述する操作ロッド３０が回動操作されると、この操作ロッド３０における下半側ネジ部３１の軸芯部への螺入を許容することになる。
【００２７】
そして、ガイドフレーム２の上端部に配在されている操作ロッド３０は、前記したブロック２０に螺入される下半側ネジ部３１を有すると共に、ガイドフレーム２の上端部に螺合する上半側ネジ部３２を有している。
【００２８】
このとき、この操作ロッド３０において、下半側ネジ部３１と上半側ネジ部３２とが差動ネジの態様に形成されていて、たとえば、一の回動操作で上半側ネジ部３２が５ピッチ分螺入するとき、下半側ネジ部３１が４ピッチ分だけブロック２０に螺入するとしている。
【００２９】
すなわち、この操作ロッド３０において、この操作ロッド３０を回動させる外力以上の外力がブロック２０に作用する状況を演出し得ることになり、したがって、ブロック２０によるブラケット３ａへの作用力を操作ロッド３０に入力する外力が以上に大きくすることが可能になる。
【００３０】
以上からすれば、この操作ロッド３０は、所定のストロークを進退できる差動ネジの態様に形成されていれば足りるから、その限りでは、任意の構成を選択できる。
【００３１】
そこで、図示するところでは、この操作ロッド３０の回動操作を容易にし得るように、この操作ロッド３０が上端部を操作部３３とする有頭ボルトからなるとすると共に、この操作部３３がストッパ部として機能して、操作ロッド３０における上端部のガイドフレーム２に対する必要以上の没入を阻止するとしている。
【００３２】
そして、この操作ロッド３０は、上半側ネジ部３２と下半側ネジ部３１との境界部に各ネジ部３１，３２の外径より大きい外径になる環状のストッパ部３４を有してなるとし、このストッパ部３４が、図示するように、ブロック２０の上端に当接されるとき、この操作ロッド３０における下半側ネジ部３１のブロック２０に対するそれ以上の螺入を阻止すると共に、このストッパ部３４がガイドフレーム２における上端部の下端に当接されるとき、操作ロッド３０のガイドフレーム２からの脱け出しを阻止するとしている。
【００３３】
以上のように形成されたこの発明による建入れ調整装置にあっては、ガイドフレーム２の下端部に保持されている連結手段１０によってアンカーボルト１の上端部にこれを連結させる。
【００３４】
このとき、ガイドフレーム２の中間部、すなわち、この中間部に配在されているブロック２０の下方に柱体３の側面に張り出すように配設されているエレクションピースからなるブラケット３ａを挿通させるようにする。
【００３５】
また、このとき、操作ロッド３０は、操作部３３およびストッパ部３４がガイドフレーム２あるいはブロック２０に干渉しないように、あらかじめガイドレーム２およびブロック２０に対して回動できる状態にあらかじめ設定しておくことを要すが、この建て入れ調整装置でベースプレート５を揺動して柱体３の垂直度を修正するとき、多くの場合に、ベースプレート５がほんの僅かな角度を揺動するだけで済み、ブラケット３ａが移動するストロークも１〜２ｍ／ｍとほんの僅かとなる。
【００３６】
ちなみに、上記した操作ロッド３０のブロック２０に対する螺入量調整が巧くいかない場合、たとえば、螺入量に不足をきたすような場合には、図中に示すように、ブロック２０の下端とブラケット３ａの上端との間に楔６を介在させるとしても良く、この場合には、操作ロッド３０のブロック２０に対する螺入態様をいわゆる最初からやり直さなくても済む点で有利となる。
【００３７】
したがって、上述したところのあらかじめ操作ロッド３０を回動できる状態にしておくとする場合にも、大きなストロークを回動できるほどにする必要がないことになる。
【００３８】
特に、この建入れ調整装置を使い回すことを考慮すると、殆ど外した状態のまま次の利用場所へセットすることを可能にすると考えられ、いわゆる大きく戻し街道をしなくても済むから、その利用が便利となることが容易に予測される。
【００３９】
ところで、上記したようにしてアンカーボルト１の上端部に連結された建て入れ調整装置にあっては、セットした後は、ブロック２０の下端がブラケット３ａの上端に当接されている状態下に操作ロッド３０を回動する。
【００４０】
たとえば、図示しないが、操作ロッド３０を時計方向に回動すると、図中に矢印ａで示すように、操作ロッド３０が回動しながらガイドフレーム２に没入する状況になり、これによって、ガイドフレーム２中でブロック２０が差動ネジ効果で、図中に矢印ｂで示すように、下降するようになる。
【００４１】
そして、このブロック２０の下降は、その下端に上端が当接されているブラケット３ａを下降させるようになり、このブラケット３ａを連設させる柱体３の下端に連設のベースプレート５が盛り上り４ａにおける頂部を支点にして、図中に矢印ｃで示すように、揺動するようになり、このとき、柱体３における垂直度が変更される、すなわち、修正されることになる。
【００４２】
以上からすれば、この発明による建入れ調整装置は、アンカーボルト１の上端部に連結されてアンカーボルト１の延在方向たるアンカーボルト１の上方に配在されることになるから、この建入れ調整装置が占有する面積をアンカーボルト１が貫通するベースプレート５が占有する面積より小さくすることが可能になり、このことからすれば、この発明による建入れ調整装置にあっては、建入れ調整装置のいわゆるコンパクト化を可能にすることになる。
【００４３】
そして、操作ロッド３０がアンカーボルト１の上方に延在されるガイドフレーム２の上端部に配在されているから、この操作ロッド３０の操作位置が基礎４の上面から離れた上方位置になり、操作ロッド３０の回動操作を容易にすることになる。
【００４４】
その結果、最下段に立設される鋼鉄製の柱体３における建入れ調整を可能にするについて作業性が良くなり、その汎用性の向上を期待するのに最適となる。
【００４５】
前記したところは、この発明による建入れ調整装置が基礎４に植設されたアンカーボルト１を固定端にしていわゆる引張り動作でブラケット３ａを下降させるように動作する場合を例にして説明したが、この発明が意図するところは、アンカーボルト１に連結された状態で動作することで、ブラケット３ａを昇降させて柱体３における垂直度を修正することであるから、前記したいわゆる引張り動作に代えて、押し動作でブラケット３ａを上昇させ、これによって、柱体３における垂直度を修正するとしても良い。
【図面の簡単な説明】
【００４６】
【図１】この発明による建入れ調整装置を一部断面にして示す図である。
【符号の説明】
【００４７】
１  アンカーボルト
２  ガイドフレーム
３  柱体
３ａ  ブラケット
５  ベースプレート
６  楔
１０  連結手段
１２  袋ナット
２０  ブロック
３０  操作ロッド
３１  下半側ネジ部
３２  上半側ネジ部
３３  操作部
３４  ストッパ部
【図１】
2005325629.tif 000003